(57)【要約】【課題】  検者の姿勢にかかわらず、ディスプレイの表示画面を良好に確認することができるレンズメータを提供する。【解決手段】  レンズの光学特性を測定する測定光学系と、測定光学系によって測定された結果を表示するディスプレイと、を備える、レンズメータであって、ディスプレイは、ディスプレイの表示画面の縦方向の長さが、ディスプレイの表示画面の横方向の長さよりも長い形状で構成されているディスプレイであって、ディスプレイの表示画面の縦横比に対応したレイアウトを有する表示画面を表示する表示制御手段と、を備える。【選択図】      図１
2018009967.tif 000002
【特許請求の範囲】
【請求項１】
レンズの光学特性を測定する測定光学系と、
前記測定光学系によって測定された結果を表示するディスプレイと、
を備える、レンズメータであって、
前記ディスプレイは、前記ディスプレイの表示画面の縦方向の長さが、前記ディスプレイの表示画面の横方向の長さよりも長い形状で構成されているディスプレイであって、
前記ディスプレイの表示画面の縦横比に対応したレイアウトを有する表示画面を表示する表示制御手段と、
を備えることを特徴とするレンズメータ。
【請求項２】
請求項１のレンズメータにおいて、
前記ディスプレイの表示画面におけるレイアウトを変更するための変更信号を受信する指示受付手段と、
前記指示受付手段によって受信された前記変更信号に基づいて、前記ディスプレイの表示画面におけるレイアウトを変更する表示制御手段と、
を備えることを特徴とするレンズメータ。
【請求項３】
請求項２のレンズメータにおいて、
前記表示制御手段は、前記ディスプレイの表示画面において、レンズと前記測定光学系との位置関係を調節するためのアライメント表示部を表示し、前記指示受付手段によって受信された前記変更信号に基づいて、前記ディスプレイの表示画面における前記アライメント表示部の縦方向に関する表示位置を変更することを特徴とするレンズメータ。
【請求項４】
請求項３のレンズメータにおいて、
前記表示制御手段は、前記ディスプレイの表示画面において、前記アライメント表示部と、レンズの測定結果を表示するための測定結果表示部と、を表示し、前記指示受付手段によって受信された前記変更信号に基づいて、前記ディスプレイの表示画面における前記アライメント表示部と前記測定結果表示との縦方向に関する表示位置を反転させることを特徴とするレンズメータ。
【請求項５】
レンズの光学特性を測定する測定光学系と、
前記測定光学系によって測定された結果を表示するディスプレイと、
を備える、レンズメータであって、
前記ディスプレイは、前記ディスプレイの少なくとも表示画面の縦方向の長さが、前記ディスプレイの表示画面の横方向の長さよりも長い形状で構成され、
前記ディスプレイの表示画面におけるレイアウトを変更するための変更信号を受信する指示受付手段と、
レンズと前記測定光学系との位置関係を調節するためのアライメント表示部と、レンズＬＥの測定結果を表示するための測定結果表示部と、の少なくとも一方の表示画面の上方位置に表示するとともに他方を表示画面の下方位置に表示し、前記指示受付手段によって受信された前記変更信号に基づいて、前記アライメント表示部と前記測定結果表示との縦方向に関する表示位置を反転させる表示制御手段と、
を備えることを特徴とするレンズメータ。
【請求項６】
請求項１〜５のレンズメータにおいて、
前記ディスプレイは、前記表示画面の横方向の長さに対して、前記表示画面の縦方向の長さが１．３〜１．９倍であることを特徴とするレンズメータ。
【請求項７】
請求項１〜６のレンズメータにおいて、
前記ディスプレイは、水平面に対して傾斜角度が２５度〜８５度の範囲内で配置されていることを特徴とするレンズメータ。
【発明の詳細な説明】
【技術分野】
【０００１】
本開示は、レンズの光学特性を測定するレンズメータに関する。
【背景技術】
【０００２】
測定光束をレンズに投光し、レンズを透過した測定光束を受光素子で受光することによって、レンズの光学特性（例えば、屈折度数等）を測定する測定光学系を備えるレンズメータが知られている（例えば、特許文献１参照）。このようなレンズメータのディスプレイは、ディスプレイの表示画面の横方向の長さが、ディスプレイの表示画面の縦方向の長さよりも長い形状で構成されているものが用いられている。
【先行技術文献】
【特許文献】
【０００３】
【特許文献１】特開２００８−２４１６９４号公報
【発明の概要】
【発明が解決しようとする課題】
【０００４】
ところで、このようなレンズメータのディスプレイは、ディスプレイの表示画面の縦方向の長さが短い形状で構成されているものが用いられているため、検者の姿勢（例えば、検者が立ち上がった状態、検者が座った状態等）によって、ディスプレイを確認することが困難となっていた。
【０００５】
本開示は、上記問題点の少なくとも１つを鑑み、検者の姿勢にかかわらず、ディスプレイの表示画面を良好に確認することができるレンズメータを提供することを技術課題とする。
【課題を解決するための手段】
【０００６】
上記課題を解決するため、本開示は以下の構成を備えることを特徴とする。
【０００７】
（１）  本開示の第１態様に係るレンズメータは、レンズの光学特性を測定する測定光学系と、前記測定光学系によって測定された結果を表示するディスプレイと、を備える、レンズメータであって、前記ディスプレイは、前記ディスプレイの表示画面の縦方向の長さが、前記ディスプレイの表示画面の横方向の長さよりも長い形状で構成されているディスプレイであって、前記ディスプレイの表示画面の縦横比に対応したレイアウトを有する表示画面を表示する表示制御手段と、を備えることを特徴とする。
（２）  本開示の第２態様に係るレンズメータは、レンズの光学特性を測定する測定光学系と、前記測定光学系によって測定された結果を表示するディスプレイと、を備える、レンズメータであって、前記ディスプレイは、前記ディスプレイの少なくとも表示画面の縦方向の長さが、前記ディスプレイの表示画面の横方向の長さよりも長い形状で構成され、前記ディスプレイの表示画面におけるレイアウトを変更するための変更信号を受信する指示受付手段と、レンズと前記測定光学系との位置関係を調節するためのアライメント表示部と、レンズＬＥの測定結果を表示するための測定結果表示部と、の少なくとも一方の表示画面の上方位置に表示するとともに他方を表示画面の下方位置に表示し、前記指示受付手段によって受信された前記変更信号に基づいて、前記アライメント表示部と前記測定結果表示との縦方向に関する表示位置を反転させる表示制御手段と、を備えることを特徴とする。
【図面の簡単な説明】
【０００８】
【図１】本実施例に係るレンズメータの外観の概略構成図である。
【図２】レンズメータの光学系と制御系の概略構成図である。
【図３】グリッド板に形成される指標パターンを示す図である。
【図４】アライメント表示部の一例を示す図である。
【図５】ディスプレイに表示される測定画面の一例を示す図である。
【図６】検者によるレンズメータの操作を模式的に示す図である。
【図７】ディスプレイの構成の一例を示す図である。
【発明を実施するための形態】
【０００９】
＜概要＞
以下、本開示の典型的な実施形態の１つについて、図面を参照して説明する。図１〜図７は本実施形態に係る装置について説明するための図である。なお、本開示では、レンズメータ本体１のノーズピース４上に載置したレンズＬＥの移動方向について、奥行き方向（眼鏡フレームＦの上端及び下端方向）をＺ方向として、奥行き方向に垂直な平面上の水平方向（眼鏡フレームＦの左端及び右端方向）をＸ方向として説明する。また、本開示において、ディスプレイ２における方向については、レンズメータ本体１の接地面に対してディスプレイを垂直に配置した状態において、接地面に対して垂直方向（Ｙ方向）を縦方向として、水平方向（上記のＸ方向）を横方向として説明する。
【００１０】
例えば、レンズメータ本体（以下、レンズメータと記載）１は、レンズの光学特性を測定する測定光学系（例えば、測定光学系１０）を備える。また、例えば、レンズメータ１は、測定光学系によって測定された結果を表示するディスプレイ（例えば、ディスプレイ２）を備える。また、例えば、レンズメータ１は、表示制御手段（例えば、制御部２１）を備える。
【００１１】
例えば、ディスプレイは、ディスプレイの表示画面の縦方向の長さが、ディスプレイの表示画面の横方向の長さよりも長い形状で構成されている。例えば、ディスプレイは、少なくともディスプレイの表示画面の縦方向の長さが、ディスプレイ２の表示画面の横方向の長さよりも長い形状であればよい。例えば、縦方向の視野角が横方向の視野角以上の視野角で設定されたディスプレイを用いる構成としてもよい。
【００１２】
例えば、レンズメータ１は、指示受付手段を備える。例えば、指示受付手段（例えば、制御部２１）は、ディスプレイの表示画面におけるレイアウトを変更するための変更信号を受信する。例えば、指示受付手段は、入力手段によって入力される変更信号を受信するようにしてもよい。例えば、入力手段としては、検者によって操作される操作部（例えば、入力用スイッチ３）であってもよい。この場合、例えば、検者が操作部を操作することによって、操作部より変更信号が入力される構成としてもよい。また、例えば、入力手段は、検出手段（例えば、顔検出手段、眼手段等）であってもよい。この場合、検出結果に基づいて、検出手段より変更信号が入力される構成としてもよい。より詳細には、例えば、検出手段は、検者の所定の部位等が検出された場合に変更信号を入力する。
【００１３】
例えば、表示制御手段は、ディスプレイの表示画面の縦横比に対応したレイアウトを有する表示画面を表示する。例えば、表示制御手段は、指示受付手段によって受信された変更信号に基づいて、ディスプレイの表示画面におけるレイアウトを変更する。例えば、ディスプレイの表示画面におけるレイアウト変更は、ディスプレイの表示画面上における各表示部分の位置を変更できる構成であってもよい。例えば、ディスプレイの表示画面上における各表示部分（例えば、表示画面に表示される各項目部分等）の位置を変更できる構成としては、各表示部分を任意の位置に移動させる構成であってもよい。また、例えば、ディスプレイの表示画面上における各表示部分の位置を変更できる構成としては、表示画面に表示された各表示部分の位置が入れ換わる（反転する）構成であってもよい。
【００１４】
例えば、表示制御手段は、表示部分として、ディスプレイの表示画面において、レンズと測定光学系との位置関係を調節するためのアライメント表示部（例えば、アライメント表示部４１）を表示するようにしてもよい。この場合、例えば、表示制御手段は、ディスプレイの表示画面において、アライメント表示部を表示し、指示受付手段によって入力された変更信号に基づいて、ディスプレイの表示画面におけるアライメント表示部の縦方向に関する表示位置を変更するようにしてもよい。例えば、アライメント表示部は、レンズの光学中心を測定光軸（例えば、測定光軸Ｌ１）にガイドするための表示部である。例えば、レンズの光学中心を測定光軸（例えば、測定光軸Ｌ１）にガイドするための表示部としては、レンズの光学中心を電子的に表示するとともに、測定光軸を電子的に表示する構成が挙げられる。この場合、レンズの光学中心を示す電子表示（例えば、リングマーク４３）と、測定光軸を示す電子表示（例えば、レチクル４２）と、を一致させるようにアライメント操作が行われるようにしてもよい。
【００１５】
また、例えば、表示制御手段は、表示部分として、レンズの測定結果を表示するための測定結果表示部（例えば、測定結果表示部４０）を表示するようにしてもよい。また、例えば、表示制御手段は、表示部分として、アライメント表示部と、測定結果表示部と、を表示するようにしてもよい。この場合、例えば、表示制御手段は、ディスプレイの表示画面において、アライメント表示部と、測定結果表示部と、を表示し、指示受付手段によって受信された変更信号に基づいて、ディスプレイの表示画面におけるアライメント表示部と、測定結果表示部と、の縦方向に関する表示位置を反転させるようにしてもよい。
【００１６】
なお、本開示におけるレイアウト変更制御は、種々の形状のディスプレイにおいても適用可能である。例えば、ディスプレイの表示画面の縦方向の長さが、ディスプレイの表示画面の横方向の長さよりも長い形状で構成されているディスプレイであってもよい。また、例えば、ディスプレイの表示画面の横方向の長さが、ディスプレイの表示画面の縦方向の長さよりも長い形状で構成されているディスプレイであってもよい。また、例えば、ディスプレイの表示画面の縦方向の長さと、ディスプレイの表示画面の横方向の長さと、が同一の長さで構成されているディスプレイであってもよい。
【００１７】
＜実施例＞
以下、本開示の実施例を図面に基づいて説明する。図１はレンズメータ装置の外観略図である。本実施例において、例えば、レンズメータ１は、ディスプレイ（モニタ）２、入力用スイッチ（操作部）３、ノーズピース４、レンズ押え５、レンズテーブル６、レバー７、印点機構８、ＲＥＡＤスイッチ９等を備える。なお、本実施例におけるレンズメータ１は、上記の構成を備える構成としたがこれに限定されない。本実施例におけるレンズメータ１は、少なくともディスプレイ２を備える構成であればよい。
【００１８】
例えば、ディスプレイ２には、ＬＣＤ（Liquid Crystal Display）が用いられる。なお、本実施例においては、ディスプレイ２にＬＣＤを用いる構成を例に挙げて説明したがこれに限定されない。例えば、ディスプレイ２は、有機ＥＬ（Electro Luminescence）ディスプレイやプラズマディスプレイ等を用いる構成であってもよい。
【００１９】
例えば、本実施例において、ディスプレイ２はタッチパネルである。すなわち、本実施例においては、ディスプレイ２が操作部（コントローラ）として機能する。もちろん、ディスプレイ２はタッチパネル式でなくともよい。また、例えば、ディスプレイ２は、複数のディスプレイが併用されてもよい。
【００２０】
例えば、ディスプレイ２は、入力された操作指示に応じた信号を、後述する制御部２１に出力する。もちろん、ディスプレイ２と操作部が別に設けられた構成であってもよい。例えば、操作部には、マウス、ジョイスティック、キーボード、携帯端末等の操作部の少なくともいずれかを用いる構成が挙げられる。例えば、マウスを使用するときは、ディスプレイ２に表示された操作部を、レンズメータ１と接続したマウスを介して操作するようにしてもよい。この場合、例えば、ディスプレイ２の表示画面にカーソル等のインジケータを表示させる。検者によってマウスが操作されることによって、インジケータが移動し、入力用スイッチ３を選択するようにしてもよい。また、例えば、携帯端末を使用するときは、携帯端末の送信部から送信された信号を受信する受信部をレンズメータ１に設け、携帯端末から送信された信号をレンズメータ１の受信部で受信することによって、レンズメータ１を操作するようにしてもよい。
【００２１】
例えば、ディスプレイ２には、各種情報（例えば、レンズメータ１によって測定された測定結果、レンズＬＥとレンズメータ１とのアライメントを行うための表示画面等）が表示される。本実施例において、ディスプレイ２は、検者がレンズメータ１を正面方向から見た場合に、所定の角度に傾斜して固定配置されている。
【００２２】
例えば、所定の角度は、レンズメータ１の接地面（すなわち水平面）から、ディスプレイの表示画面が２５度〜８５度の範囲内において傾斜した角度であってもよい。例えば、ディスプレイの表示画面の縦方向の長さが、ディスプレイの表示画面の横方向の長さよりも長い形状であるディスプレイを用いる場合に、ディスプレイが２５度〜８５度の範囲内の角度で配置されることによって、上下方向において種々の姿勢の変化した場合であっても、表示画面を確認することが容易となる。すなわち、ディスプレイの表示画面の横方向の長さよりも長い形状であるディスプレイを用いるとともに、ディスプレイの表示画面が２５度〜８５度の範囲内において傾斜した角度に固定されることによって、検者は立ち上がった状態や座った状態等の姿勢にかかわらず、ディスプレイの表示画面を容易に確認することができる。また、例えば、所定の角度は、より好ましくは、レンズメータ１の接地面から、ディスプレイの表示画面が４５〜６５度の範囲内において傾斜した角度であるとよい。例えば、これによって、検者がディスプレイの表示画面を確認した場合に、より良好にディスプレイの表示画面を確認することができる。すなわち、検者がディスプレイの表示画面を確認した場合に、ディスプレイの表示画面の輝度やコントラストをより良好に観察できる状態となる。
【００２３】
例えば、本実施例においては、レンズメータ１の接地面に対して、ディスプレイ２が５０度の傾斜角度で固定配置されている。なお、本実施例においては、ディスプレイ２の傾斜角度を５０度に固定配置しているがこれに限定されない。ディスプレイ２の傾斜角度は、検者がディスプレイ２をどの視線位置から観察した場合であっても、ディスプレイ２の表示画面が観察しやすい角度に設定されていればよい。
【００２４】
また、本実施例においては、ディスプレイ２がレンズメータ１に固定配置された場合を例に挙げて説明するがこれに限定されない。例えば、ディスプレイ２がレンズメータ１に対して移動できるように配置されてもよい。この場合、例えば、ディスプレイ２において、ディスプレイ２が縦方向に関してチルトするチルト機構を設けるようにしてもよい。
【００２５】
例えば、入力用スイッチ３は、レンズメータ１が各種処理の実行を開始するための入力信号（例えば、各種測定モードの切り換え信号、アライメント時における表示画面のレイアウト変更信号等）を入力するために用いられる。例えば、本実施例においては、入力用スイッチ３は、ディスプレイ２の画面上に表示されている。すなわち、例えば、検者によって、ディスプレイ２の画面がタッチ操作されることによって、入力用スイッチ３の操作を行うことができる。
【００２６】
なお、本実施例では、ディスプレイ２の画面上に入力用スイッチ３が電子的に表示される構成を例に挙げて説明しているがこれに限定されない。例えば、入力用スイッチ３は、任意の位置に設けることができる。この場合、例えば、入力用スイッチ３は、レンズメータ１やディスプレイカバー２ａ等に設置されていてもよい。
【００２７】
例えば、ノーズピース４は、レンズＬＥを載置し、測定時の基点とするものである。例えば、レンズ押え５は、ノーズピース４上に載置されたレンズＬＥを安定に保持するためのものである。例えば、レンズテーブル６は、眼鏡フレーム入りレンズＬＥを測定する際に用いられる。例えば、レンズテーブル６には、眼鏡フレームＦの左右リムの下端が当接される。例えば、レンズテーブル６に、眼鏡フレームＦの左右リムの下端が当接されることによって、眼鏡フレームＦに取り付けられたレンズＬＥの左右レンズＬＥの光学中心間を結ぶ線が、レンズテーブル６と平行になる状態を維持することができる。これによって、レンズＬＥの左右レンズＬＥが傾いて測定されることを抑制でき、レンズＬＥの乱視軸角度を正確に測定することができる。例えば、レバー７は、レンズテーブル６をＺ方向に摺動させるためのものである。例えば、印点機構８は、レンズＬＥに印点を施す場合に使用する。例えば、ＲＥＡＤスイッチ９は、レンズＬＥの光学特性データを読み取るためのものである。ＲＥＡＤスイッチ９が選択されることによって、測定値がディスプレイ２にホールド表示されるとともに、装置内部のメモリ２２（図２参照）へと記憶される。
【００２８】
ところで、ディスプレイには、良好な輝度やコントラスト等が得られる角度の範囲（視野角）が存在する。ディスプレイは、ディスプレイの正面を０度の基準として、上方向、下方向、左方向、右方向のそれぞれに視野角を持つ。例えば、検者の視軸が視野角を外れた場合には、検者がディスプレイ２の画面を確認する際に、その表示を良好に確認できない。
【００２９】
なお、ディスプレイ２の表示画面上の各位置において、検者が良好な輝度やコントラスト等が得られる範囲がそれぞれ存在する。例えば、本実施例において、検者がディスプレイ２の表示画面における各位置を良好に認識することができる範囲は、各位置において、それぞれ所定の範囲内に限定される。
【００３０】
例えば、ディスプレイ２の表示画面上の各位置において、ディスプレイ２の表示画面を良好に確認できる範囲は、ディスプレイ２の各画面位置に対して垂直な軸（ディスプレイ画面の法線方向の軸）を基準として（以下、基準軸と記載）、上方向、下方向、左方向、右方向のそれぞれに設定されている。例えば、ディスプレイ２の表示画面を良好に確認できる範囲は、基準軸に対して、上方向、下方向、左方向、右方向のそれぞれの方向において、所定の角度で示される。ディスプレイ２の表示画面上における各位置において、各位置の画面を良好に確認できる範囲がそれぞれ設定されている。なお、本実施例において、ディスプレイ２の表示画面が良好に確認できる範囲は、上下左右方向に設定されているが、これに限定されない。例えば、ディスプレイ２の表示画面が良好に確認できる範囲は、斜め方向に設定される構成であってもよい。
【００３１】
検者がディスプレイ２の画面を確認する際に、その表示を良好に確認できない状況としては、例えば、検者がディスプレイ２の表示画面を見る際の視軸と、基準軸と、の成す角が、ディスプレイ２の表示画面が良好に確認できる範囲（角度）よりも大きな場合が挙げられる。この状態では、ディスプレイ２の表示画面の光束が、検者に対して良好に照射されないために、ディスプレイの輝度やコントラストが低下する等して、ディスプレイがみづらくなる。
【００３２】
検者の視軸が、ディスプレイ２の表示画面が良好に確認できる範囲よりも大きくなる状態の一例としては、検者がディスプレイ２を正面方向から確認していない場合が挙げられる（図６参照）。すなわち、ディスプレイの基準軸に対して、検者の視軸が縦方向（上下方向）に大きく傾いた状態でディスプレイ２の表示画面を確認するほど、検者の視軸はディスプレイ２の表示画面が良好に確認できる範囲を外れやすい状態となる。いいかえると、検者の視軸が基準軸と略平行（ディスプレイの画面と略垂直）な状態である場合には、検者の視軸がディスプレイ２の表示画面を良好に確認できる範囲に入る（図６参照）。すなわち、検者がディスプレイ２の画面を確認する際における検者の視軸が、ディスプレイ２の表示画面が良好に確認できる範囲内にあるか否かによって、ディスプレイ２の画面を良好に確認できるか否かが決まる。なお、本実施例において、例えば、略平行とは、完全に平行な状態である場合も含む。また、本実施例において、例えば、略垂直とは、完全に垂直である場合も含む。なお、上記説明においては、ディスプレイ２の上下方向におけるディスプレイ２の表示画面が良好に確認できる範囲について説明したが、左右方向の範囲についても上記説明と同様である。
【００３３】
例えば、レンズメータ１は、その構成上、レンズメータ１の正面にレンズＬＥを配置する。従って、検者はレンズメータ１を、レンズメータの正面から操作するため、ディスプレイ２に対して視軸を左右方向（Ｘ方向）に傾けた状態でディスプレイを見ることは少ない。すなわち、レンズメータ１の操作時において、検者の視軸は左右方向に変化しづらい。しかし、例えば、検者の姿勢や身長等によっては、検者の視線の位置が変化するために、ディスプレイ２に対して視軸を上下方向（Ｙ方向）に傾けた状態でディスプレイを見ることがある。すなわち、レンズメータ１の操作時において、検者の視軸は上下方向に変化しやすい。
【００３４】
例えば、従来のレンズメータにおけるディスプレイは、ディスプレイの表示画面の縦方向の長さが短い（例えば、ディスプレイの表示画面の横方向の長さが、ディスプレイの表示画面の縦方向の長さよりも長い形状を持つ）ディスプレイが用いられてきた。例えば、ディスプレイの表示画面の縦方向の長さが短いディスプレイでは、縦方向における表示領域が狭い。例えば、表示領域が大きい場合には、ディスプレイ２の表示画面が良好に確認できる範囲を大きくできる。しかしながら、ディスプレイの表示画面の縦方向の長さが短い（例えば、ディスプレイの表示画面が横長のディスプレイ）では、ディスプレイの縦方向における表示領域が狭いため、上下方向において、ディスプレイ２の表示画面が良好に確認できる範囲が小さい。このため、レンズメータ１の操作時のように検者の視軸が上下方向に変化しやすい場合には、よりディスプレイ２の表示画面が良好に確認できなくなる。
【００３５】
例えば、本実施例では、ディスプレイ２の表示画面の縦方向（Ｙ方向）の長さが、ディスプレイ２の表示画面の横方向（Ｘ方向）の長さよりも長い形状で構成されている。例えば、ディスプレイ２の表示画面は、表示画面の横方向の長さに対して、表示画面の縦方向の長さが１．３〜１．９倍であってもよい。なお、例えば、本実施例におけるディスプレイ２の表示画面は、縦方向の長さが横方向の長さの略１．４倍のディスプレイが用いられている。より詳細には、本実施例におけるディスプレイ２は、縦方向に１１４．２ｍｍ、横方向に８１．３ｍｍの長さをそれぞれ有することで、縦方向の長さが横方向の長さの略１．４倍となっている。すなわち、本実施例におけるディスプレイ２の表示画面は、縦横比が略４：３である。
【００３６】
なお、本実施例においては、ディスプレイ２の表示画面における縦方向の長さを、横方向の長さの略１．４倍としたがこれに限定されない。例えば、ディスプレイの表示画面は、横方向の長さに対して縦方向の長さが１．５倍（縦横比が３：２）であってもよいし、１．６倍（縦横比が１６：１０）であってもよいし、略１．８倍（縦横比が１６：９）であってもよい。すなわち、本実施例におけるレンズメータ１のディスプレイ２は、少なくとも表示画面の縦方向の長さが、表示画面の横方向の長さよりも長い形状であればよい。
【００３７】
例えば、このようにディスプレイ２の表示画面が縦長の形状であることによって、ディスプレイの縦方向における表示領域を広くすることができる。これによって、ディスプレイ２の縦方向における表示領域を大きくすることができ、上下方向において、ディスプレイ２の表示画面が良好に確認できる範囲を大きくすることができる。このため、検者は、検者の姿勢（例えば、検者が立ち上がった状態、検者が座った状態等）、身長等にかかわらず、ディスプレイの表示画面を良好に確認することができる。すなわち、検者の上下方向における視線の位置が大きく変化する場合であっても、検者はディスプレイの表示画面を良好に確認することができる。
【００３８】
例えば、図２は光学系と制御系の概略構成図である。測定光学系１０は、測定光源１１、コリメーティングレンズ１２、ミラー１３、グリッド板１４、２次元受光センサ１５等を備える。例えば、測定光源１１は、ＬＥＤ（Light Emitting Diode）で構成される。例えば、測定光源１１は、測定光軸Ｌ１上に配置される。例えば、測定光軸Ｌ１は、ノーズピース４がもつ開口４ａ（直径８ｍｍの円形状）の平面に対して垂直に配置されている。例えば、グリッド板１４は、後述する中心孔３１及び小孔３２により形成された測定指標３０を有する。例えば、グリッド板１４は、レンズメータ本体１の保持部材１６によって保持される。
【００３９】
例えば、制御部２１には、ＲＥＡＤスイッチ９、測定光源１１、２次元受光センサ１５、メモリ２２等が接続されている。なお、制御部２１は、複数の制御部（つまり、複数のプロセッサ）によって構成されてもよい。例えば、メモリ２２には、測定光学系１０によるレンズＬＥの光学特性及び瞳孔間距離を取得するための測定制御プログラム等が記憶されている。例えば、メモリ（記憶部）２２には、後述する０Ｄ基準状態におけるドット像の座標位置や、測定結果等が記憶される。
【００４０】
例えば、制御部２１は、レンズＬＥの光学特性（例えば、球面度数Ｓ、柱面度数Ｃ、乱視軸角度Ａ、プリズム量Δ等）を演算するための演算処理を行う。また、例えば、制御部２１は、ディスプレイ２の表示画面の表示制御を行う。本実施例において、例えば、制御部２１は、ディスプレイ２の表示画面の縦横比に対応したレイアウトを有する表示画面を表示する（詳細は後述する）。
【００４１】
例えば、図３はグリッド板１４に形成される指標パターンを示す図である。レンズＬＥの複数箇所における屈折度数を１度に測定するため、グリッド板１４には多数の測定指標３０が形成されている。グリッド板１４の中央には直径０．４ｍｍから成る１つの中心孔３１が開けられ、中心孔３１の周辺には直径０．２ｍｍから成る多数の小孔３２が開けられている。小孔３２は０．５ｍｍの等間隔で格子状に並ぶ。測定光源１１からの光束は、コリメーティングレンズ１２を通して平行光束となり、ミラー１３を介してレンズＬＥへ投光される。レンズＬＥを透過した光束のうち、さらに、ノーズピース開口４ａと、グリッド板１４が有する測定指標３０を通過した光束が２次元受光センサ１５へと届く。２次元受光センサ１５は、これらの測定指標３０により形成されたドット像を受像する。
【００４２】
例えば、中心孔３１は、他の小孔３２との対応関係を特定するための基準指標となる。レンズメータの電源が投入されると、制御部２１は、レンズＬＥをノーズピース４上に載置していない「０Ｄ基準」状態におけるドット像を検出して、その座標位置をメモリ２２に記憶させる。レンズＬＥをノーズピース４上に載置すると、測定光源１１からの光束がレンズＬＥにより屈折されるために、０Ｄ基準状態と比較してドット像の座標位置が変化する。つまり、中心孔３１は、レンズＬＥの有無におけるこのような座標位置の変化に対応した各ドット像を特定するための基準指標である。本実施形態では、グリッド板１４の中心に１つの基準指標を配置する構成としたが、他測定指標との区別が可能であるならば、基準指標の個数、形状、位置等はこれに限定されない。例えば、３つの基準指標を用いる場合には、これらを正三角形の頂点に配置する構成でもよい。例えば、４つの基準指標を用いる場合には、４つの基準指標のうちの３つを正三角形の頂点に配置し、１つを正三角形の内心に配置する構成としてもよいし、それぞれの基準指標を正方形の頂点（すなわち正方形の四隅）に配置する構成としてもよい。
【００４３】
例えば、０Ｄ基準状態における測定指標３０のドット像は、レンズＬＥがもつ光学特性の演算に使用される。例えば、球面度数のみを有するレンズＬＥを載置した場合におけるドット像は、０Ｄ基準状態におけるドット像に対して、レンズＬＥの光学中心から円形状かつ等距離に拡大あるいは縮小する。球面度数Ｓは、この拡大量あるいは縮小量に基づいて求められる。柱面度数のみを有するレンズＬＥを載置した場合におけるドット像は、０Ｄ基準状態におけるドット像に対して、レンズＬＥの軸中心から楕円状に拡大あるいは縮小する。柱面度数Ｃ及び乱視軸角度Ａは、この拡大量あるいは縮小量に基づいて求められる。また、プリズム量Δは、レンズＬＥの中心ドット像、または中心ドット像付近のドット像における平行移動量から求められる。球面度数、柱面度数及びプリズムを有するレンズＬＥを載置した場合は、これらを複合して考えればよい（特開昭５０−１４５２４９号公報参照）。
【００４４】
例えば、レンズＬＥの光学特性は、グリッド板１４に形成された多数の測定指標３０のうち、隣接する４つ（少なくとも３つ）のドット像を１組として算出する他、３×３点、４×４点、または５×５点等のドット像を１組として、各ドット像の平均変化から算出することもできる。これについては周知の技術を応用しているため、詳しくは特開２００５−３１５６５４号公報または特開２００８−２４１６９４号公報を参照されたい。
【００４５】
以上のような構成を持つレンズメータ１において、その動作を説明する。例えば、レンズＬＥの光学特性を測定する場合に、検者はレンズＬＥをレンズメータ１に載置させる。次いで、レンズＬＥを測定するための測定画面を表示させるための図示無きスイッチを選択する。検者によって、測定画面を表示させるための図示無きスイッチが選択されると、制御部２１は、ディスプレイ２の表示画面上にレンズＬＥを測定するための測定画面を表示させる。
【００４６】
例えば、測定画面としては、入力用スイッチ３、レンズＬＥの測定結果を表示する測定結果表示部４０、レンズＬＥと測定光学系１０との位置関係を調節するアライメント表示部４１等が表示される（図５参照）。例えば、図４は、測定画面上に表示されるアライメント表示部４１の一例を示す図である。以下、アライメント表示部４１について説明する。
【００４７】
本実施例において、例えば、アライメント表示部４１には、アライメント画面としてレチクル４２とリングマーク４３が表示される。例えば、レチクル４２は、レンズＬＥをアライメントする際のガイドマークである。例えば、レチクル４２は、縦線と横線が直交した十字線４２ａと、十字線４２ａを円形状に囲むアライメントサークル４２ｂで構成されている。例えば、アライメントサークル４２ｂの中心点４２ｃ（十字線４２ａの交点）は、ノーズピース開口４ａの中心位置を電子的に表示したものである。例えば、中心点４２ｃは、レンズＬＥの光学中心を測定光軸Ｌ１に位置合わせするための目標である。例えば、アライメントサークル４２ｂは、レンズＬＥが有する乱視軸角度の表示に利用される。例えば、リングマーク４３は、レンズＬＥの光学中心を電子的に表示したものである。例えば、レチクル４２に対するリングマーク４３の表示位置は、レンズＬＥの屈折度数や、レンズＬＥのプリズム量から求められた偏位量及び偏位方向に基づいて決定される。すなわち、制御部２１は、測定光学系１０によるレンズＬＥの測定結果に基づいて、リングマーク４３の表示位置を変更する。
【００４８】
例えば、図５は、ディスプレイ２の画面上に表示される測定画面の一例を示す図である。以下、測定画面についてより詳細に説明する。本実施例において、例えば、測定画面としては、入力用スイッチ３、測定結果表示部４０、アライメント表示部４１等が表示される。例えば、入力用スイッチ３は、各種入力指示を行うための複数のスイッチによって構成されている。例えば、入力用スイッチ３には、ディスプレイ２の表示画面におけるレイアウトを変更するためのレイアウト変更スイッチ３ａが含まれる。
【００４９】
例えば、図５（ａ）は、ディスプレイ２の画面上方に測定結果表示部４０が、画面下方にアライメント表示部４１が配置された図である。図５（ｂ）は、ディスプレイ２の画面上方にアライメント表示部４１が、画面下方に測定結果表示部４０が配置された図である。なお、以下の説明においては、図５（ａ）を測定画面の初期画面としてディスプレイ２に表示した場合を例に挙げて説明する。なお、初期画面の配置については本実施例に限らず、測定画面上における各部の表示位置は、任意の位置に表示させることができる。例えば、図５（ｂ）に示すように、ディスプレイ２の画面上方にアライメント表示部４１を表示した状態でもよい。なお、本実施例において、測定画面としては、入力用スイッチ３、測定結果表示部４０、アライメント表示部４１が表示される場合を例に挙げて説明しているがこれに限定されない。例えば、測定画面としては、少なくともアライメント表示部４１が表示される構成であってもよい。この場合、例えば、レンズＬＥの測定完了後、測定画面から測定結果表示画面に切り換えが行われ、測定結果表示画面において、測定結果表示部４０が表示されるようにしてもよい。
【００５０】
ここで、例えば、少なくともディスプレイの表示画面の縦方向の長さが、ディスプレイの表示画面の横方向の長さよりも長い形状で構成されているディスプレイを用いた場合であっても、検者の姿勢、身長等の影響による検者の視軸の上下方向における位置の変化が大きいため、ディスプレイ２の表示画面を良好に確認しづらくなることがある。すなわち、少なくとも表示画面の縦方向の長さが、表示画面の横方向の長さよりも長い形状で構成されているディスプレイを用いた場合であっても、ディスプレイ２の画面上における検者の確認位置によっては、ディスプレイ２の表示画面を良好に確認しづらくなる。例えば、検者が立ち上がっている状態で、少なくとも表示画面の縦方向の長さが、表示画面の横方向の長さよりも長い形状で構成されているディスプレイの画面下方位置を確認する際には、ディスプレイ２の表示画面を良好に確認しづらくなることがある。また、例えば、ディスプレイ２をレンズメータ１に固定配置している場合には、ディスプレイ２を移動することができないため、ディスプレイ２の表示画面を良好に確認しづらくなることが多い。
【００５１】
また、例えば、検者がディスプレイ２の画面を確認する際に、検者のディスプレイ２の画面上の確認（観察）位置が、ディスプレイ２の画面を良好に確認できるか否かに影響する。例えば、ディスプレイ２の画面上における検者の確認位置（ディスプレイ２の画面に対する検者の視軸の交点）から検者までの距離が長い（離れている）場合に、ディスプレイ画面が見づらくなる。すなわち、検者とディスプレイ２までの距離が離れている場合に、ディスプレイ画面が見づらくなる。このため、検者が立ち上がったり座ったりすることによって、上下方向における視線の位置が変化すると、検者からディスプレイまでの距離が長くなるため、ディスプレイの表示画面を良好に認識することができなくなる。
【００５２】
例えば、本実施例における、レンズメータ１は、ディスプレイ２の表示画面におけるレイアウトを変更することができる。例えば、レイアウト変更スイッチ３ａは、ディスプレイ２の表示画面におけるレイアウトを変更する変更信号を入力するために用いられる。例えば、検者によって、レイアウト変更スイッチ３ａが選択されることによって、レイアウト変更スイッチ３ａより変更信号が入力される。制御部２１は、変更信号を受信すると、変更信号に基づいて、ディスプレイ２の表示画面におけるレイアウトを変更する。
【００５３】
本実施例において、例えば、ディスプレイ２の表示画面におけるレイアウト変更として、制御部２１は、ディスプレイ２の表示画面において、アライメント表示部４１を表示し、受信した変更信号に基づいて、ディスプレイ２の表示画面におけるアライメント表示部４１の縦方向に関する表示位置を変更する。
【００５４】
本実施例においては、ディスプレイ２の表示画面におけるアライメント表示部４１の縦方向に関する表示位置の変更の一例として、測定結果表示部４０とアライメント表示部４１の表示位置を反転させる場合を例として説明する。
【００５５】
本実施例において、例えば、制御部２１は、ディスプレイ２の表示画面において、アライメント表示部４１と、測定結果表示部４０と、を表示する。例えば、制御部２１は、受信した変更信号に基づいて、ディスプレイ２の表示画面におけるアライメント表示部４１と測定結果表示部４０との縦方向に関する表示位置を反転させる。
【００５６】
より詳細に説明する。例えば、検者は、ディスプレイに表示されたレイアウト変更スイッチ３ａを選択する。検者によって、レイアウト変更スイッチ３ａが選択されると、制御部２１は、測定結果表示部４０とアライメント表示部４１の上下表示位置を入れ換える（反転させる）。すなわち、検者によって、レイアウト変更スイッチ３ａが選択された場合には、レイアウト変更スイッチ３ａは、ディスプレイ２におけるアライメント表示部４１の表示位置を画面下方から画面上方に変更するための変更信号を入力する。制御部２１は、入力された変更信号を受信する。制御部２１は、受信した変更信号に基づいてディスプレイ２の表示画面を制御し、測定結果表示部４０とアライメント表示部４１の上下表示位置を反転させる。なお、本実施例においては、制御部２１が、変更信号を受信するとともに、変更信号に基づいて表示画面を変更する構成を例に挙げて説明しているがこれに限定されない。例えば、変更信号を受信する指示受付手段と、ディスプレイ２の表示画面の表示制御を行う表示制御手段は、別途、それぞれ設けられる構成としてもよい。
【００５７】
例えば、制御部２１は、ディスプレイ２の表示画面を、アライメント表示部４１が画面下方に位置する図５（ａ）の状態から、画面上方に位置する図５（ｂ）の状態へと切り換える。このようにして、検者は、アライメント表示部２１の位置を変更することができる。
【００５８】
例えば、図６は検者によるレンズメータの操作をディスプレイ２の側面側からみた様子を模式的に示す図である。例えば、検者Ａは、レンズＬＥのアライメント操作を座って行っている場合について示している。例えば、検者Ｂは、レンズＬＥのアライメント操作を立ち上がって行っている場合について示している。
【００５９】
図６において、例えば、検者Ａがディスプレイ２の画面下方位置２ｂを確認する場合に、検者Ａの視軸Ａ１は、ディスプレイ２の画面下方位置２ｂにおける基準軸Ｃ１に対して略水平となる。この場合、例えば、検者Ａは、ディスプレイ２の画面下方位置２ｂにおける表示画面について、ディスプレイ２が良好に確認できる範囲（所定の角度）内に視軸Ａ１（実線部）が入るため、表示画面を良好に確認することができる。一方、例えば、検者Ａがディスプレイ２の画面上方位置２ａを確認する場合に、検者Ａはディスプレイ２の画面上方位置２ａを斜めに見上げて確認する状態となるため、検者Ａの視軸Ａ２（点線部）は、ディスプレイ画面の画面上方位置２ａにおける基準軸Ｃ２に対して下方に傾いた状態（基準軸Ｃ２と視軸Ａ２との成す角が大きくなる状態）となる。例えば、検者Ａの視軸Ａ２がディスプレイ画面の画面上方位置２ａにおけるディスプレイ２が良好に確認できる範囲外になっている場合、検者Ａはディスプレイ２の表示画面を良好に確認することができなくなる。
【００６０】
例えば、検者ＡがレンズＬＥを測定するためのアライメント操作を行う際に、アライメント表示部４１がディスプレイ２の画面下方位置２ｂに表示されている場合には、検者Ａはアライメント表示部４１を良好に確認することができる。このため、検者Ａは良好にアライメント操作を行うことができる。
【００６１】
一方、検者ＡがレンズＬＥを測定するためのアライメント操作を行う際に、アライメント表示部４１がディスプレイ２の画面上方位置２ａに表示されており、検者Ａの視軸Ａ２が画面上方位置２ａにおけるディスプレイ２が良好に確認できる範囲外になっている場合には、検者Ａはアライメント表示部４１を良好に確認することができない。この場合、検者は、レイアウト変更スイッチ３ａを選択して、ディスプレイの画面上におけるアライメント表示部４１の表示位置を変更する。本実施例において、例えば、レイアウト変更スイッチ３ａが操作されることによって、測定結果表示部４０とアライメント表示部４１の上下表示位置が反転し、アライメント表示部４１が画面下方位置２ｂに表示される。これによって、検者ＡはレンズＬＥのアライメント操作を座って行った場合でも、アライメント画面を良好に確認することができるようになる。
【００６２】
図６において、例えば、検者Ｂがディスプレイ２の画面上方位置２ａを確認する場合に、検者Ｂの視軸Ｂ１は、ディスプレイ２の画面上方位置２ａにおける基準軸Ｃ２に対して略水平となる。この場合、例えば、検者Ｂは、ディスプレイ２の画面上方位置２ａにおける表示画面について、ディスプレイ２が良好に確認できる範囲内に視軸Ｂ１（実線部）が入るため、表示画面を良好に確認することができる。一方、例えば、検者Ｂがディスプレイ２の画面下方位置２ｂを確認する場合に、検者Ｂはディスプレイ２の画面下方位置２ｂを斜めに見下ろして確認する状態となるため、検者Ｂの視軸Ｂ２（点線部）は、ディスプレイ画面の画面下方位置２ｂにおける基準軸Ｃ１に対して上方に傾いた状態（基準軸Ｃ１と視軸Ｂ２との成す角が大きくなる状態）となる。例えば、検者Ｂの視軸Ｂ２がディスプレイ画面の画面下方位置２ｂにおけるディスプレイ２が良好に確認できる範囲外になっている場合、検者Ｂはディスプレイ２の表示画面を良好に確認することができなくなる。
【００６３】
例えば、検者ＢがレンズＬＥを測定するためのアライメント操作を行う際に、アライメント表示部４１がディスプレイ２の画面上方位置２ａに表示されている場合には、検者Ｂはアライメント表示部４１を良好に確認することができる。このため、検者Ｂは良好にアライメント操作を行うことができる。
【００６４】
一方、検者ＢがレンズＬＥを測定するためのアライメント操作を行う際に、アライメント表示部４１がディスプレイ２の画面下方位置２ｂに表示されており、検者Ｂの視軸Ｂ２が画面下方位置２ｂにおけるディスプレイ２が良好に確認できる範囲外になっている場合には、検者Ｂはアライメント表示部４１を良好に確認することができない。この場合、検者は、レイアウト変更スイッチ３ａを操作して、ディスプレイの画面上におけるアライメント表示部４１の表示位置を変更する。本実施例において、例えば、レイアウト変更スイッチ３ａが操作されることによって、測定結果表示部４０とアライメント表示部４１の上下表示位置が反転し、アライメント表示部４１が画面上方位置２ａに表示される。これによって、検者ＢはレンズＬＥのアライメント操作を立ち上がって行った場合でも、アライメント画面を良好に確認することができるようになる。
【００６５】
以上のように、例えば、変更信号に基づいて、ディスプレイの表示画面におけるレイアウトが変更できることによって、検者は表示画面のレイアウトが変更できるため、レンズメータに、少なくとも表示画面の縦方向の長さが、ディスプレイの表示画面の横方向の長さよりも長い形状で構成されているディスプレイを用いた場合であっても、検者が表示画面をより観察しやすい状態にすることができる。
【００６６】
また、例えば、変更信号に基づいて、ディスプレイの表示画面におけるレイアウトが変更できることによって、レンズメータにディスプレイを固定配置した場合（例えば、レンズメータにディスプレイの角度を縦方向に関して変更する機構を設けない場合等）であっても、検者が表示画面をより観察しやすい状態にすることができる。
【００６７】
また、例えば、変更信号に基づいて、ディスプレイの表示画面におけるレイアウトが変更できることによって、レンズメータに対してディスプレイを移動可能に配置した構成においても、検者が表示画面をより観察しやすい状態にすることができる。例えば、レンズメータに対してディスプレイを移動可能に配置した構成において、その移動範囲を小さくした機構を用いた場合であっても、検者が表示画面をより観察しやすい状態にすることができる。
【００６８】
また、例えば、変更信号に基づいて、ディスプレイの表示画面におけるレイアウトが変更できることによって、検者は表示画面のレイアウトが変更できるため、ディスプレイの画面上における検者の確認位置から検者までの距離を調整することができ、検者が表示画面をより観察しやすい状態に変更して観察を行うことができる。
【００６９】
また、例えば、変更信号に基づいて、ディスプレイの表示画面におけるレイアウトが変更できることによって、外乱光の影響等でディスプレイ２の表示画面に外乱光が反射して、ディスプレイ２の表示画面がみづらくなることがあっても、検者が表示画面をより観察しやすい状態に変更して観察を行うことができる。
【００７０】
また、例えば、変更信号に基づいて、ディスプレイの表示画面におけるアライメント表示部の表示位置が変更できることによって、レンズメータに、少なくとも表示画面の縦方向の長さが、ディスプレイの表示画面の横方向の長さよりも長い形状で構成されているディスプレイを用いた場合であっても、レンズの測定を行うために、レンズと測定光学系との位置調整する際（アライメント動作を行う際）に、検者の姿勢にかかわらず、検者は良好にアライメント操作を行うことができる。
【００７１】
上記のようにして、アライメント表示部４１の表示位置が調整され、アライメント表示部が良好に確認できるようになると、検者はアライメント操作を行う。例えば、検者はレバー７を回してレンズテーブル６をＺ方向に引き出し、眼鏡フレームＦの左右リムの下端とレンズテーブル６を当接させるとともに、レンズ押え５を下げてレンズＬＥを固定する。ノーズピース４上にレンズＬＥが載置されたとき、制御部２１は、ノーズピース開口４ａ内で測定される光学特性分布から、測定ポイントがレンズＬＥのどの辺りに位置するのか（測定光軸Ｌ１に対する大まかなアライメント状態）を判断する。
【００７２】
例えば、単焦点レンズＬＥを測定する場合、検者は、リングマーク４３が中心点４２ｃに向かうようレンズＬＥを前後左右方向に移動させる。例えば、図４ａのように、中心点４２ｃに対してリングマーク４３が右下に位置していた場合、検者はレンズＬＥをノーズピース４に対して後方向（Ｚ方向）かつ左方向（Ｘ方向）へと移動させればよい。
【００７３】
例えば、レンズＬＥの移動により、これらの光学特性から求められた光学中心の位置が、アライメント完了の許容範囲におさまると、図４ｂに示すようにリングマーク４３は十字マーク４４へと変化する。レンズＬＥに印点を施す場合にはより正確なアライメントが必要となるため、検者は、図４ｂの状態からレンズＬＥの移動を微調整し、十字マーク４４を中心点４２ｃへとさらに近づける。アライメント完了の許容範囲におさまると、図４ｃに示すように十字マーク４４は大十字マーク４５へと変化する。リングマーク４３の表示変化によって、検者はアライメントが完了したか否かを容易に判別することができる。また、レンズＬＥが有する乱視軸角度は、アライメントサークル４２ｂ上に表示されるＡＸＩＳバー４６からも判断することができる。図４ｃの場合、レンズＬＥの乱視軸角度は６０度である。
【００７４】
例えば、アライメント完了後にＲＥＡＤスイッチ９を押せば、測定値（レンズＬＥの屈折度数を表す球面屈折度Ｓ、円柱屈折度Ｃ、及び乱視軸角度Ａ等）がディスプレイ２のアライメント表示部４１へホールド表示されるとともに、メモリ２２に記憶される。あるいは、制御部２１がアライメントの完了を判定して自動的に測定値をホールドする構成としてもよい。メモリ２２が記憶した測定値は、測定結果表示部４０にも表示される。
【００７５】
例えば、測定が終了したら、検者はレンズＬＥのもう片側のレンズＬＥについても同様にアライメント操作を行い、測定値を得る。なお、アライメント操作時におけるリングマーク４３の移動及び表示変化等は、単焦点レンズＬＥの他、累進レンズＬＥや二重焦点レンズＬＥであっても、基本的には同様である。
【００７６】
なお、本実施例では、ディスプレイ２の表示画面及びディスプレイカバー２ａの縦方向の長さは、横方向の長さよりも長い構成を例に挙げて説明したがこれに限定されない。例えば、図７に示すように、少なくともディスプレイ２の表示画面の縦方向の長さが、ディスプレイ２の表示画面の横方向の長さよりも長い形状であればよい。すなわち、ディスプレイカバー２ａは、横方向の長さが縦方向の長さよりも長い形状であってもよい。
【００７７】
なお、本実施例において、ディスプレイ２の表示画面が良好に確認できる範囲が上下方向に大きいディスプレイとして、ディスプレイ２の表示画面の縦方向の長さが、ディスプレイの表示画面の横方向の長さよりも長い形状で構成され、縦方向の表示領域が大きい構成を例に挙げて説明したがこれに限定されない。例えば、ディスプレイ２の表示画面が良好に確認できる範囲が上下方向に大きいディスプレイとしては、縦方向の視野角が横方向の視野角以上の視野角で設定されたディスプレイを用いる構成としてもよい。この場合、例えば、ディスプレイ２の表示画面の縦方向の長さが、ディスプレイの表示画面の横方向の長さよりも長い形状で構成されているとともに、縦方向の視野角が横方向の視野角よりも大きく設定されたディスプレイを用いてもよい。また、この場合、例えば、ディスプレイ２の表示画面の縦方向の長さが、ディスプレイの表示画面の横方向の長さ以下の形状（例えば、ディスプレイの形状としては、横長の形状や、正方形の形状等）で構成されているとともに、縦方向の視野角が横方向の視野角よりも大きく設定されたディスプレイを用いてもよい。
【００７８】
なお、本実施例では、ディスプレイ２の画面上に常時、入力用スイッチ３を表示する構成を例に挙げて説明したがこれに限定されない。例えば、入力用スイッチ３（例えば、レイアウト変更スイッチ３ａ）は、常時、ディスプレイ２の表示画面上に表示させておく必要はない。例えば、入力用スイッチ３を操作するための操作画面を設けるようにしてもよい。この場合、例えば、ディスプレイに表示する表示画面を変更する変更スイッチを設け、変更スイッチが選択されることによって、入力用スイッチ３を操作するための操作画面が表示されるようにしてもよい。すなわち、変更スイッチを適宜選択することによって、操作画面に移行され、操作画面上でレイアウト変更がなされる構成であってもよい。
【００７９】
なお、本実施例においては、検者によってレイアウト変更スイッチ３ａが操作されることで、レイアウト変更スイッチ３ａより変更信号が入力される構成を例に挙げて説明したがこれに限定されない。例えば、変更信号を入力する入力手段としては種々の構成を用いることができる。例えば、顔検出手段を設け、顔検出手段によって、検者の顔の位置を検出し、顔の位置に応じて顔検出手段より変更信号を入力するか否かを自動的に決定する構成としてもよい。
【００８０】
なお、本実施例において、ディスプレイ２の表示画面のレイアウト変更は、アライメント表示部と４１と、測定結果表示部４０と、を変更する場合を挙げて説明したがこれに限定されない。ディスプレイ２の表示画面のレイアウト変更は、ディスプレイの表示画面に表示される各部を任意に変更できる。例えば、レイアウト変更スイッチ３ａの位置を変更するようにしてもよいし、アライメント表示部４１を構成する各部の位置を変更するようにしてもよい。
【００８１】
なお、本実施例において、ディスプレイ２の表示画面のレイアウト変更の制御として、測定画面上のおける各部を反転処理する場合を例に挙げて説明したがこれに限定されない。例えば、ディスプレイ上に表示された各部を、検者の好みの位置に移動させることができる構成であればよい。例えば、ディスプレイ上の各部（例えば、アライメント表示部４１、測定結果表示部４０等）をドラッグ操作することによって移動できる構成であってもよいし、各部を一定の間隔で上下させるスイッチを設けて各部を移動させる構成であってもよい。
【００８２】
なお、本実施例において、ディスプレイ２の表示画面のレイアウト変更においては、レンズの測定開始前に設定された表示画面に基づいて、レンズの測定完了後の表示画面のレイアウトを変更する構成してもよい。例えば、検者が測定前に、アライメント開始画面を確認しやすい位置として、アライメント表示部４１を下方に表示し、測定結果表示部２２を上方に表示するように設定する。そして、測定完了後、制御部２１は、測定結果が確認しやすいように、測定結果表示部４２を下方に表示し、アライメント表示部４１を上方に表示するようにしてもよい。このように、レイアウトを設定した際の設定情報に基づいて、測定の前後でレイアウトを変更することによって、検者は容易に各種動作を行うことができる。すなわち、検者は、測定前にはアライメント表示部が見やすくなり、測定開始後には、測定結果表示部が見やすくなるため、姿勢を変えることなく、アライメント動作と、測定結果確認を容易に行うことができる。
【００８３】
なお、本開示における技術は、本実施形態におけるレンズメータにおいて適用する場合に限定されない。例えば、本実施形態におけるレンズメータの測定光学系には、位相差方式によって光学特性を測定するような測定光学系を適用することもできる。また、例えば、本実施形態におけるレンズメータの測定光学系には、眼鏡レンズＬＥの広い範囲に亘って光学特性を測定するような測定光学系を適用することもできる（例えば、特表２００２−５３４６６５号公報参照）。
【符号の説明】
【００８４】
１  レンズメータ本体
２  ディスプレイ
４  ノーズピース
１０  測定光学系
２１  制御部
２２  メモリ
４０  測定結果表示部
４１  アライメント表示部
【図１】
2018009967.tif 000003
【図２】
2018009967.tif 000004
【図３】
2018009967.tif 000005
【図４】
2018009967.tif 000006
【図５】
2018009967.tif 000007
【図６】
2018009967.tif 000008
【図７】
2018009967.tif 000009